(57)【特許請求の範囲】
【請求項１】
複数の画像を同一の画面上に重畳して成るマルチ画像に画像圧縮を行い、回線網を介して伝送するマルチ画像伝送装置において、
少なくとも２つ以上の複数の画像信号を入力する画像信号入力手段と、前記画像信号入力手段を介して入力された複数の画像信号のうち、少なくとも１つ以上の画像信号を子画面として同一の画面上に重畳するマルチ画像合成手段と、
前記マルチ画像合成手段により前記同一の画面上に重畳される子画面の表示モードを所定の操作入力に応じて変更し、前記所定の操作入力に応じて前記マルチ画像合成手段により行われる子画面の重畳合成動作を制御する表示モード変更手段と、
前記マルチ画像合成手段によって重畳されたマルチ画像を圧縮する画像圧縮モードを、少なくとも２つ以上有する画像圧縮手段とを備え、
前記表示モード変更手段が前記子画面の表示モードを変更したときは、前記画像圧縮手段は、前記子画面の表示モードが変更されたフレームに対して、連続する複数のフレーム間の相関を用いて画像圧縮を行う画像圧縮モードから、入力された画像のフレーム内のみで画像圧縮を行う画像圧縮モードに切り換えることを特徴とするマルチ画像伝送装置。
【請求項２】
前記画像圧縮手段は、前記マルチ画像合成手段により重畳された子画面の位置が変更されたときに、画像圧縮のモードを切り換えることを特徴とする請求項１に記載のマルチ画像伝送装置。
【請求項３】
前記画像圧縮手段は、前記マルチ画像合成手段により重畳された子画面のサイズが変更されたときに画像圧縮モードを切り換えることを特徴とする請求項１に記載のマルチ画像伝送装置。
【請求項４】
前記画像圧縮手段は、前記マルチ画像合成手段により重畳されたそれぞれの子画面の表示・非表示が変更されたときに画像圧縮モードを切り換えることを特徴とする請求項１に記載のマルチ画像伝送装置。
【請求項５】
前記画像圧縮手段は、前記マルチ画像合成手段により重畳された子画面と親画面との画像信号が交換されたときに画像圧縮モードを切り換えることを特徴とする請求項１に記載のマルチ画像伝送装置。
【発明の詳細な説明】
【０００１】
【産業上の利用分野】
本発明はマルチ画像伝送装置に係わり、特に、複数の画像を同一の画面上に重畳して成るマルチ画像に画像圧縮を行い、回線網等を介して伝送するようにしたマルチ画像伝送装置に用いて好適なものである。
【０００２】
【従来の技術】
従来、複数の画像を同一の画面上に重畳して成るマルチ画像に画像圧縮を行い、回線網を介して伝送するようにしたマルチ画像伝送装置が知られている。従来のマルチ画像伝送装置は、例えば、図６のブロック図に示すように構成されている。また、図４は画像圧縮部１０７の構成を示すブロック図であり、さらに図７は動画像／圧縮を行う際の動作シーケンスを示すフローチャートである。
【０００３】
図６において、１０１は画像を入力するための第１の画像信号入力装置であり、例えば、ビデオカメラ等から構成される。１０２は音声を入力するための第１の音声信号入力装置であり、例えば、マイクロフォン等から構成される。１０３は第２の画像信号入力装置であり、例えば、書画カメラ等によって構成されている。１０４は第２の音声信号入力装置であり、音声信号入力装置１０２と同様にマイクロフォン等から構成される。
【０００４】
１０５は画像信号切り換え部であり、この画像信号切り換え部１０５はスイッチ等で構成されていて、前記第１の画像信号入力装置１０１および第２の画像信号入力装置１０３から入力される２つの画像信号のどちらを子画面にするか、システム制御部５０８からの制御信号に基づいて切り換えるためのものである。
【０００５】
１０６は画像信号処理部であり、入力された２つの画像信号のうち、一方を子画面として同一の画面上に重畳する、いわゆるピクチャー・イン・ピクチャー機能を実現するためのフィールド・メモリーや、同期信号分離回路等から構成されている。
【０００６】
１０７は画像圧縮部であり、前記画像処理部１０６から出力される画像信号に含まれている冗長な信号成分を取り除いて画像信号のデータ量を削減するための離散コサイン変換回路や、フレーム間比較回路や、量子化回路等で構成されている。
【０００７】
５０８は、このマルチ画像伝送装置全体を制御するためのシステム制御部であり、ＣＰＵ、ＲＯＭ、ＲＡＭ等から構成されている。１０９は音声信号加算部であり、第１の音声信号入力装置１０２および第２の音声信号入力装置１０４からそれぞれ入力される音声信号を加算合成するためのものであり、抵抗器やアンプ回路等で構成されている。１１０は音声信号処理部であり、音声信号加算部１０９により加算された音声信号を量子化するためのＡ／Ｄ変換器、メモリー等で構成されている。
【０００８】
１１１は信号多重化部であり、画像圧縮部１０７から出力される画像圧縮および量子化された画像信号と、音声信号処理部１１０から出力される量子化された音声信号とを多重化し、データ通信を行うためのパケット・データを生成するデータ・ラッチ回路、パラレル／シリアル変換回路等で構成されている。
【０００９】
１１２は回線網制御部であり、回線網を介して他の端末装置との網接続、網切断を行うためのリレー回路やトランス回路等で構成されている。１１３は回線端子部であり、モジュラー・コネクター等を用いてこのマルチ画像伝送装置と回線網とを接続するためのものである。１１４は、本従来例のマルチ画像信号入力装置を操作するためのスイッチ等で構成されている操作パネル部である。
【００１０】
次に、このように構成されたマルチ画像伝送装置の動作を、図７のフローチャートを参照して説明する。
まず、ステップＰ１において、システム制御部５０８は動画像の圧縮に先立ち、動画像のフレーム数をカウントするために設けられているフレーム・カウンタをリセットする。
【００１１】
次に、ステップＰ２に進み、フレーム内／間切り換え信号により画像圧縮部１０７の切り換え部３０５ａおよび切り換え部３０５ｂを第１の端子ａ側に切り換えることで、画像圧縮部１０７の圧縮モードをフレーム内圧縮モードに切り換える。
【００１２】
次に、システム制御部５０８は画像信号処理部１０６から出力されるマルチ画像信号の同期信号を監視し、１フレーム分のマルチ画像信号が画像圧縮部１０７へ入力されたら、ステップＰ３においてフレーム内画像圧縮を行う。その後、ステップＰ４にて、フレーム・カウンタのカウンタ値を１つ分増加させる。
【００１３】
次に、ステップＰ５に進み、フレーム内／間切り換え信号により画像圧縮部１０７の切り換え部３０５ａおよび切り換え部３０５ｂを第２の端子ｂ側に切り換えることで、画像圧縮部１０７の圧縮モードをフレーム間圧縮モードに切り換える。
【００１４】
このようにして、フレーム間圧縮モードに切り換えられることにより、ステップＰ６において、画像圧縮部１０７では画像処理部１０６から出力されるマルチ画像信号の現フレームと、画像圧縮部１０７のフレーム・メモリー部３１１に記録されている前フレームとの差分の画像に対して画像圧縮が行われる。
【００１５】
次のステップＰ７では、システム制御部５０８は１フレームがフレーム間圧縮されるとフレーム・カウント値を１つ分増加させるとともに、次のステップＰ８では画像圧縮すべきすべてのマルチ画像信号のフレームが終了したか否かを判断する。
【００１６】
ステップＰ８の判断の結果、終了した場合はこれらの画像圧縮の動作を終了する。また、そうでない場合はフレーム・カウンタの値を参照することにより現在画像圧縮が行われているフレーム数が（あらかじめ設定されている）Ｎ番目のフレームか否かを判断する。
【００１７】
前記ステップＰ９の判断の結果、Ｎ番目のフレームであった場合はフレーム間圧縮による画像信号の劣化を防ぐために、再びステップステップＰ１に戻ってマルチ画像信号のフレーム内圧縮を行う。また、そうでない場合はステップＰ６に戻ってフレーム間圧縮を繰り返し行う。
【００１８】
【発明が解決しようとする課題】
しかしながら、従来のマルチ画像伝送装置においては、画像圧縮におけるフレーム内圧縮モードとフレーム間圧縮モードとの切り換えを、予め設定されているＮ番目のフレームにより切り換えていたため、例えば、マルチ画像信号を画像圧縮している途中で子画面を移動した場合などのように、前フレームと現フレームとの画像の相関が弱いときでもフレーム間圧縮を行うので、画像品質が劣化したり、画像圧縮データ量が急激に増加したりしてしまう問題があった。
【００１９】
本発明は前述の問題点にかんがみ、マルチ画像の子画面表示モードを変更している時でも画質劣化が少ない画像圧縮を行うことができるようにすることを目的とする。
【００２０】
【課題を解決するための手段】
本発明のマルチ画像伝送装置は、複数の画像を同一の画面上に重畳して成るマルチ画像に画像圧縮を行い、回線網を介して伝送するマルチ画像伝送装置において、少なくとも２つ以上の複数の画像信号を入力する画像信号入力手段と、前記画像信号入力手段を介して入力された複数の画像信号のうち、少なくとも１つ以上の画像信号を子画面として同一の画面上に重畳するマルチ画像合成手段と、前記マルチ画像合成手段により前記同一の画面上に重畳される子画面の表示モードを所定の操作入力に応じて変更し、前記所定の操作入力に応じて前記マルチ画像合成手段により行われる子画面の重畳合成動作を制御する表示モード変更手段と、前記マルチ画像合成手段によって重畳されたマルチ画像を圧縮する画像圧縮モードを、少なくとも２つ以上有する画像圧縮手段とを備え、前記表示モード変更手段が前記子画面の表示モードを変更したときは、前記画像圧縮手段は、前記子画面の表示モードが変更されたフレームに対して、連続する複数のフレーム間の相関を用いて画像圧縮を行う画像圧縮モードから、入力された画像のフレーム内のみで画像圧縮を行う画像圧縮モードに切り換えることを特徴としている。
【００２２】
また、本発明のその他の特徴とするところは、前記画像圧縮手段は、前記マルチ画像合成手段により重畳された子画面の位置が変更されたときに、画像圧縮のモードを切り換えることを特徴としている。
【００２３】
また、本発明のその他の特徴とするところは、前記画像圧縮手段は、前記マルチ画像合成手段により重畳された子画面のサイズが変更されたときに画像圧縮モードを切り換えることを特徴としている。
【００２４】
また、本発明のその他の特徴とするところは、前記画像圧縮手段は、前記マルチ画像合成手段により重畳されたそれぞれの子画面の表示・非表示が変更されたときに画像圧縮モードを切り換えるようにしている。
【００２５】
また、本発明のその他の特徴とするところは、前記画像圧縮手段は、前記マルチ画像合成手段により重畳された子画面と親画面との画像信号が交換されたときに画像圧縮モードを切り換えるようにしている。
【００２６】
【作用】
本発明は前記技術手段を有するので、フレーム間圧縮モードにてマルチ画像の画像圧縮を行っている時に、前記マルチ画像に重畳されている子画面の表示位置が変更された場合には、画像圧縮モードを画面表示位置が変更されたフレームから再びフレーム内圧縮モードに切り換えることで画像圧縮の劣化を防ぐことが可能となり、マルチ画像の子画面表示モードを変更している時でも画質劣化が少ない画像圧縮を行うことができるようになる。
【００２７】
【実施例】
以下、本発明のマルチ画像伝送装置の一実施例を図面を参照して説明する。
図１は、本発明のマルチ画像伝送装置の機能の概略構成を示す機能ブロック図である。
【００２８】
図１において、１は画像信号入力手段、２はマルチ画像合成手段、３は表示モード変更手段、４は画像表示手段、５は画像圧縮手段、６は画像信号出力手段である。
これらの手段のうち、画像信号入力手段１は、少なくとも２つ以上の複数の画像信号を入力するために設けられているものであり、後述するように、複数の画像入力装置により構成されている。
【００２９】
マルチ画像合成手段２は、前記画像信号入力手段を介して入力された複数の画像信号のうち、少なくとも１つ以上の画像信号を子画面として同一の画面上に重畳するために設けられているものであり、表示モード変更手段３は前記マルチ画像合成手段２により重畳された子画面領域の表示モードを変更するためのものである。
【００３０】
画像圧縮手段５は、前記マルチ画像合成手段２により重畳された画像を圧縮するために設けられているものであり、本実施例においては複数の画像圧縮モードを有している。
【００３１】
すなわち、前記画像圧縮手段５は、入力された画像のフレーム内のみで画像圧縮を行う画像圧縮モードと、連続する複数のフレーム間の相関を用いて画像圧縮を行う画像圧縮モードとを備えている。
【００３２】
そして、前記マルチ画像合成手段２により重畳された子画面領域の位置が変更されたときには、画像圧縮のモードを切り換えるようにしている。
さらに、前記マルチ画像合成手段２により重畳された子画面領域のサイズが変更されたときに、画像圧縮モードを切り換えるようにしている。
【００３３】
そしてまた、前記マルチ画像合成手段２により重畳されたそれぞれの子画面の表示・非表示状態を変更したときにも、前記複数の画像圧縮モードを切り換えるようにしている。
また、前記マルチ画像合成手段２により重畳された子画面と親画面との画像信号を交換したときにも、画像圧縮モードを切り換えるようにしている。
【００３４】
また、さらに前記表示モード変更手段３が子画面領域の表示モードを変更したときは、それまでに行っていた画像圧縮モードを別の画像圧縮モードに切り換えるようにしている。
【００３５】
以下、本発明のマルチ画像伝送装置の詳細な構成を図２〜図５を参照しながら説明する。
図２は、本発明のマルチ画像伝送装置を最もよく表すシステムブロック図であり、図３は図２における画像信号処理部１０６の構成を示すブロック図、図４は図２における画像圧縮部１０７の構成を示すブロック図、図５は本実施例のマルチ画像伝送装置の画像圧縮動作シーケンスを示すフローチャートである。
【００３６】
図２において、１０１は画像を入力するための第１の画像信号入力装置であり、ビデオカメラ等から構成される。１０２は音声を入力するための第１の音声信号入力装置であり、マイクロフォン等から構成される。１０３は第２の画像信号入力装置であり、例えば、書画カメラ等によって構成されている。１０４は第２の音声信号入力装置であり、第１の音声信号入力装置１０２と同様にマイクロフォン等から構成される。
【００３７】
１０５は画像信号切り換え部であり、この画像信号切り換え部１０５はスイッチ等で構成されていて、前記第１の画像信号入力装置１０１および第２の画像信号入力装置１０３から入力される２つの画像信号のどちらを子画面にするか、システム制御部１０８からの制御信号に基づいて切り換えるためのものである。
【００３８】
１０６は画像信号処理部であり、入力された２つの画像信号のうち、一方を子画面として同一の画面上に重畳するものであり、フィールド・メモリー、同期信号分離回路等から構成されている。
【００３９】
１０７は画像圧縮部であり、前記画像処理部１０６から出力される画像信号Ｓ６に含まれている冗長な信号成分を取り除き、画像信号のデータ量を削減するためのものであり、離散コサイン変換回路、フレーム間比較回路、量子化回路等で構成されている。
【００４０】
１０８は、このマルチ画像伝送装置全体を制御するためのシステム制御部であり、ＣＰＵ、ＲＯＭ、ＲＡＭ等から構成されている。１０９は音声信号加算部であり、第１の音声信号入力装置１０２および第２の音声信号入力装置１０４から入力される音声信号を加算合成するためのものであり、抵抗器、アンプ回路等で構成されている。１１０は音声信号処理部であり、音声信号加算部１０９により加算された音声信号を量子化するためのＡ／Ｄ変換器、メモリー等で構成されている。
【００４１】
１１１は信号多重化部であり、画像圧縮部１０７から出力される画像圧縮および量子化された画像信号と、音声処理部１１０から出力される量子化された音声信号とを多重化し、データ通信を行うためのパケット・データを生成するデータ・ラッチ回路、パラレル／シリアル変換回路等で構成されている。
【００４２】
１１２は回線網制御部であり、回線網を介して他の端末装置との網接続、網切断を行うためのリレー回路やトランス回路等で構成されている。１１３は回線端子部であり、モジュラー・コネクター等を用いてこのマルチ画像伝送装置と回線網とを接続するためのものである。１１４は、本実施例のマルチ画像信号入力装置を操作するためのスイッチ等で構成されている操作パネル部である。
【００４３】
次に、画像信号処理部１０６の構成を、図３のブロック図を参照して詳細に説明する。
図３において、２０１は画像信号処理部１０６に入力される親画像信号Ｓ１の入力部、２０２はシステム制御部１０８から入力され、子画面の重畳位置を決めるカウンター値を設定するための子画面位置制御信号Ｓ３の入力部、２０３は画像信号処理部１０６に入力される子画面信号Ｓ２の入力部である。
【００４４】
２０４ａ〜２０４ｃは、画像信号をＡ／Ｄ変換またはＤ／Ａ変換する際のＤＣレベルを再生するためのクランプ部である。
２０５ａおよび２０５ｂは同期分離部であり、子画面の画像信号Ｓ２を生成するために用いるフィールド・メモリー部２０８のメモリー制御に使用する垂直および水平同期信号を、画像信号Ｓ１，Ｓ２から分離するためのものである。
２０６はＡ／Ｄ変換部であり、アナログ信号である子画面の画像信号Ｓ２を離散的なディジタル画像信号に変換するためのものである。
【００４５】
２０７はメモリー制御部であり、同期分離部２０５ａから出力される親画面の同期信号Ｓ７と、同期分離部２０５ｂから出力される子画面の同期信号Ｓ８と、システム制御部１０８からの子画面位置制御信号Ｓ３とにより、フィールド・メモリー部２０８にディジタル化された子画面の画像信号Ｓ２の書き込み／読み出し制御を行い、更に、子画面が重畳されている画像の位置を出力するためのものである。
【００４６】
２０８はフィールド・メモリー部であり、ディジタル化された子画面の画像信号Ｓ２を記録するためのものである。
２０９はＤ／Ａ変換部であり、フィールド・メモリー部２０８に記録されたディジタル化された子画面の画像信号Ｓ２を再びアナログ画像信号に変換するためのものである。
【００４７】
２１０は画像切り換え部であり、親画面の画像信号Ｓ１と、Ｄ／Ａ変換部２０９からの子画面の画像信号Ｓ２とをメモリー制御部２０７から出力される子画面位置信号Ｓ９により切り換えるものである。
２１１はマルチ画像信号Ｓ６を画像圧縮部１０７へ出力するためのマルチ画像出力部である。
【００４８】
次に、図４のブロック図を参照して画像圧縮部１０７の構成を説明する。図４において、３０１は入力部であり、画像処理部１０６から出力されるマルチ画像信号Ｓ６を内部に導入するためのものである。
【００４９】
３０３は切り換え信号入力部であり、画像信号を処理する際にフレーム内で行うか、フレーム間で行うかを切り換えるために、システム制御部１０８から出力されるフレーム内／間切り換え信号Ｓ５を入力するためのものである。
【００５０】
３０４は画像信号減算部であり、フレーム間で処理を行う際に画像信号入力部３０１から入力される現フレームの画像信号と、フレーム・メモリー部３１１からの前フレームの画像信号との差分をとるためのものである。
【００５１】
３０５ａおよび３０５ｂはスイッチ部であり、フレーム内／間切り換え信号Ｓ５によって切り換え動作が制御されるようになされており、フレーム内で処理を行う場合と、フレーム間で処理を行う場合とで画像信号のパスを切り換えるためのものである。
【００５２】
３０６はＤＣＴ部であり、入力された画像信号を離散コサイン変換することにより、画像信号が持つ空間的な冗長度を削減し、その画像信号が持つ各周波数変換係数を出力するためのものである。
【００５３】
３０７は量子化部であり、前記ＤＣＴ部３０６から出力される周波数変換係数を、データ発生量を制限するために量子化するためのものであり、その量子化ステップはシステム制御部１０８から出力される量子化ステップ制御信号により制御される。
【００５４】
３０８は逆量子化部であり、前記量子化部３０７において量子化された画像信号の周波数変換係数を復元するためのものであり、その量子化ステップは前記量子化部３０７と同様に、システム制御部１０８からの量子化ステップ制御信号により制御される。
【００５５】
３０９はＩＤＣＴ部であり、前記逆量子化部３０８において復元された画像信号の周波数変換係数に基いて逆離散コサイン変換を行って元の画像信号を生成して再び出力するためのものである。
【００５６】
３１０は画像加算部であり、前記ＩＤＣＴ部３１０から出力される画像信号と、フレーム・メモリー部３１１から出力される前画像信号とを加算するために設けられているものである。
上記３１１はフレーム・メモリー部は、画像信号のフレーム間差分をとるために必要な前フレームの画像信号を蓄えておくためのものである。
【００５７】
３１２は予測回路部であり、画像信号のフレーム間での動きを予測し、フレーム・メモリー部３１１に蓄えられている前フレームの画像信号と、画像信号入力部３０１から入力されている現フレームの画像信号とでフレーム間差分をとったときの差分データ発生量を低く抑えるためのものである。
【００５８】
３１３は低域フィルタ部であり、逆量子化部３０８、ＩＤＣＴ部３０９において復元された画像信号の量子化ノイズを除去するためのものである。
３１４は可変長符号化（ＶＬＣ）部であり、量子化部３０７から出力される量子化された画像信号の周波数係数に対し、出現回数の多い値に対してよりデータ量の少ない値を割り振ってデータ発生量を削減する可変長符号化手段を用いて構成されている。
３１５はこれらの圧縮された画像信号を信号多重化部１１１へ出力するための圧縮データ出力部である。
【００５９】
次に、このような構成において、動画像圧縮動作を、図５のフローチャートに基いて説明する。まず、ステップＰ１において、システム制御部１０８は動画像の圧縮に先立ち、動画像のフレーム数をカウントするために設けられているフレーム・カウンタをリセットする。
【００６０】
次に、ステップＰ２に進み、フレーム内／間切り換え信号により画像圧縮部１０７の切り換え部３０５ａおよび切り換え部３０５ｂを第１の端子ａ側に切り換えることで、画像圧縮部１０７の圧縮モードをフレーム内圧縮モードに切り換える。
【００６１】
次に、ステップＰ３において、システム制御部１０８は画像信号処理部１０６から出力されるマルチ画像信号の同期信号を監視し、１フレーム分のマルチ画像信号が画像圧縮部１０７へ入力され、フレーム内画像圧縮を行う。その後、ステップＰ４にて、フレーム・カウンタのカウンタ値を１つ分増加させる。
【００６２】
次に、ステップＰ５に進み、フレーム内／間切り換え信号により画像圧縮部１０７の切り換え部３０５ａおよび切り換え部３０５ｂを第２の端子ｂ側に切り換えることで、画像圧縮部１０７の圧縮モードをフレーム間圧縮モードに切り換える。
【００６３】
このようにして、フレーム間圧縮モードに切り換えられることにより、ステップＰ６において、画像圧縮部１０７では画像処理部１０６から出力されるマルチ画像信号の現フレームと、画像圧縮部１０７のフレーム・メモリー部３１１に記録されている前フレームとの差分の画像に対して画像圧縮が行われる。
【００６４】
次のステップＰ７では、システム制御部１０８は１フレームがフレーム間圧縮されるとフレーム・カウント値を１つ分増加再生するとともに、次のステップＰ８では画像圧縮すべきすべてのマルチ画像信号のフレームが終了したか否かを判断する。
【００６５】
ステップＰ８の判断の結果、終了した場合はこれらの画像圧縮の動作を終了する。また、そうでない場合はステップＰ９に進み、操作パネル部１１４から子画面の位置変更の入力がされたか否かを判断し、位置変更の入力がされていた場合には、画像信号処理部１０６へ新しい子画面位置制御信号を出力して子画面の表示位置を移動する。
【００６６】
これにより、画像圧縮部１０７へは前フレームとは画像の相関が弱いマルチ画像信号が入力されるため、再び基準となる画像フレームを生成するためにフレーム内圧縮モードを行うステップＰ１に戻る。
【００６７】
また、ステップＰ９の判断の結果、子画面の位置変更が入力されていない場合にはステップＰ１０に進み、フレーム・カウンタの値を参照することにより現在画像圧縮が行われているフレーム数が（あらかじめ設定されている）Ｎ番目のフレームか否かを判断する。
【００６８】
前記ステップＰ１０の判断の結果、Ｎ番目のフレームであった場合はフレーム間圧縮による画像信号の劣化を防ぐために、再びステップステップＰ１に戻ってマルチ画像信号のフレーム内圧縮を行う。また、そうでない場合はステップＰ６に戻ってフレーム間圧縮を繰り返し行う。
【００６９】
このようにしてフレーム間圧縮モードにてマルチ画像の画像圧縮を行っている場合に、前記マルチ画像に重畳されている子画面の表示位置を変更された場合でも、画像圧縮モードを画面表示位置が変更されたフレームから再びフレーム内圧縮モードに切り換えることで画像圧縮の劣化を防ぐことが可能である。
【００７０】
また、本実施例では、マルチ画像の子画面領域の表示モードの変更例として、子画面の表示位置の変更を示したが、他の例として、ステップＰ９にて、画像信号切り換え部１０５の切り換えによる親画面と子画面の切り換え、または子画面の表示と非表示の切り換え、または子画面のサイズの変更が行われたときに画像圧縮モードを切り換えても同様な効果が得られる。
【００７１】
【発明の効果】
本発明は前述したように、複数の画像を同一の画面上に重畳して成るマルチ画像に画像圧縮を行い、前記画像圧縮したマルチ画像を回線を介して伝送するようにしたマルチ画像伝送装置において、画像信号入力手段を介して入力された複数の画像信号のうち、少なくとも１つ以上の画像信号を子画面として同一の画面上に重畳するマルチ画像合成手段と、前記マルチ画像合成手段により重畳された子画面領域の表示モードを変更する表示モード変更手段と、少なくとも２つ以上の画像圧縮モードを有する画像圧縮手段とを設け、前記画像圧縮手段がフレーム間圧縮モードにてマルチ画像の画像圧縮を行っているときに、前記マルチ画像に重畳されている子画面の表示位置が変更された場合には、画面表示位置が変更されたフレームから再びフレーム内圧縮モードに切り換えることにより、画像圧縮の劣化を防ぐことが可能となり、マルチ画像の子画面表示モードを変更している時でも画質劣化が少ない画像圧縮を行うことができる。
【図面の簡単な説明】
【図１】本発明のマルチ画像伝送装置の一実施例を示す機能構成図である。
【図２】本実施例のマルチ画像圧縮装置のシステムブロック図である。
【図３】画像信号処理部の構成を示すブロック図である。
【図４】画像圧縮部の構成を示すブロック図である。
【図５】実施例のマルチ画像伝送装置の画像圧縮動作シーケンスを示すフローチャートである。
【図６】従来のマルチ画像圧縮装置の一例を示すシステムブロック図である。
【図７】従来のマルチ画像圧縮装置の画像圧縮動作シーケンスを示すフローチャートである。
【符号の説明】
１  画像信号入力手段
２  マルチ画像合成手段
３  表示モード変更手段
４  画像表示手段
５  画像圧縮手段
６  画像信号出力手段
１０１  第１の画像信号入力装置
１０２  第１の音声信号入力装置
１０３  第２の画像信号入力装置
１０４  第２の音声信号入力装置
１０５  画像信号切り換え部
１０６  画像信号処理部
１０７  画像圧縮部
１０８  システム制御部
１１０  音声信号処理部
１１１  信号多重化部
１１２  回線制御部
【図１】
0003618786.tif 000002
【図２】
0003618786.tif 000003
【図３】
0003618786.tif 000004
【図４】
0003618786.tif 000005
【図５】
0003618786.tif 000006
【図６】
0003618786.tif 000007
【図７】
0003618786.tif 000008